(57)【要約】【課題】外部端子面に外部端子を締結や溶接などで接続する際、外部端子面が変形することがなく、外部端子面と外部端子との位置ずれを防止できるバッテリモジュールを提供する。【解決手段】拘束バンド７は、セルユニット２の側面２ｂ，２ｃ，２ｄに位置し、第１エンドプレート３１の外部端子面３１ａに連結される。これにより、第１エンドプレート３１の外部端子面３１ａは、拘束バンド７により、高い強度で保持される。【選択図】図２
2014203746.tif 000002
【特許請求の範囲】
【請求項１】
第１方向に配列された複数のバッテリセルを含むセルユニットと、
上記セルユニットの上記第１方向の一方側に位置する第１エンドプレートと、
上記第１方向に沿って延在し、上記第１エンドプレートに連結されて、上記第１エンドプレートおよび上記セルユニットを拘束する拘束バンドと
を備え、
上記第１エンドプレートは、上記第１方向の一方側を向くと共に外部端子が接続される面である外部端子面を有し、
上記拘束バンドは、上記セルユニットの側面に位置し、上記第１エンドプレートの上記外部端子面に連結されることを特徴とするバッテリモジュール。
【請求項２】
請求項１に記載のバッテリモジュールにおいて、
複数の上記拘束バンドの上記第１エンドプレートへの連結部分は、上記第１エンドプレートの隅部に位置していることを特徴とするバッテリモジュール。
【請求項３】
請求項１または２に記載のバッテリモジュールにおいて、
上記拘束バンドの上記第１エンドプレートへの連結部分は、上記第１方向からみて、上記第１エンドプレートの辺の中央に位置していることを特徴とするバッテリモジュール。
【請求項４】
請求項１から３の何れか一つに記載のバッテリモジュールにおいて、
上記セルユニットの複数の上記側面は、各バッテリセルの端子が位置する面であるセル端子面を含み、
複数の上記拘束バンドは、上記セルユニットの上記セル端子面でない全ての上記側面に位置していることを特徴とするバッテリモジュール。
【請求項５】
請求項１から４の何れか一つに記載のバッテリモジュールにおいて、
上記セルユニットの上記第１方向の他方側に位置する第２エンドプレートを備え、
上記セルユニットの上記セル端子面には、各バッテリセルの安全弁を有し、
上記安全弁を覆う排気管は、上記セルユニットの上記セル端子面に位置し、上記第１エンドプレートと上記第２エンドプレートに連結されることを特徴とするバッテリモジュール。
【請求項６】
請求項１から４の何れか一つに記載のバッテリモジュールにおいて、
上記セルユニットは、隣接する上記バッテリセルの間にスペーサを有し、
上記セルユニットの上記セル端子面には、各バッテリセルの安全弁を有し、
上記安全弁を覆う排気管は、上記セルユニットの上記セル端子面に位置し、上記スペーサに連結されることを特徴とするバッテリモジュール。
【請求項７】
請求項１から６の何れか一つに記載のバッテリモジュールにおいて、
上記セルユニットおよび上記第１エンドプレートを収容するケースを備え、
上記ケースは、ガイド部を有し、
上記第１エンドプレートは、上記ガイド部にスライド自在にガイドされる被ガイド部を有することを特徴とするバッテリモジュール。
【請求項８】
請求項７に記載のバッテリモジュールにおいて、
上記被ガイド部は、上記拘束バンドが嵌め込まれるバンド溝であり、
上記バンド溝には、上記ケースの上記ガイド部が、スライド自在に嵌め込まれることを特徴とするバッテリモジュール。
【請求項９】
請求項１から８の何れか一つに記載のバッテリモジュールにおいて、
各上記拘束バンド同士を固定する固定バーを備えることを特徴とするバッテリモジュール。
【発明の詳細な説明】
【技術分野】
【０００１】
この発明は、バッテリモジュールに関する。
【背景技術】
【０００２】
従来、バッテリモジュールとしては、特開２０１２−１７４６９３号公報（特許文献１）に記載されたものがある。このバッテリモジュールは、第１方向に配列された複数のバッテリセルを含むセルユニットと、このセルユニットの第１方向の両側を挟む第１エンドプレートおよび第２エンドプレートとを備えている。
【０００３】
上記第１エンドプレート、上記第２エンドプレートおよび上記セルユニットは、第１方向に延在する拘束バンドにより、拘束されている。上記セルユニットは、各バッテリセルの端子が位置すると共に外部端子が接続される外部端子面を有する。
【先行技術文献】
【特許文献】
【０００４】
【特許文献１】特開２０１２−１７４６９３号公報
【発明の概要】
【発明が解決しようとする課題】
【０００５】
ところで、上記従来のバッテリモジュールでは、上記セルユニットの外部端子面には、各バッテリセルの端子が位置しているため、この端子が邪魔になって、拘束バンドを外部端子面に配置することができなかった。このため、上記セルユニットの外部端子面に外部端子を締結や溶接などで接続する際、セルユニットの外部端子面が変形して、セルユニットの外部端子面と外部端子との位置ずれが発生する問題があった。
【０００６】
そこで、この発明の課題は、外部端子面に外部端子を締結や溶接などで接続する際、外部端子面が変形することがなく、外部端子面と外部端子との位置ずれを防止できるバッテリモジュールを提供することにある。
【課題を解決するための手段】
【０００７】
上記課題を解決するため、この発明のバッテリモジュールは、
第１方向に配列された複数のバッテリセルを含むセルユニットと、
上記セルユニットの上記第１方向の一方側に位置する第１エンドプレートと、
上記第１方向に沿って延在し、上記第１エンドプレートに連結されて、上記第１エンドプレートおよび上記セルユニットを拘束する拘束バンドと
を備え、
上記第１エンドプレートは、上記第１方向の一方側を向くと共に外部端子が接続される面である外部端子面を有し、
上記拘束バンドは、上記セルユニットの側面に位置し、上記第１エンドプレートの上記外部端子面に連結されることを特徴としている。
【０００８】
この発明のバッテリモジュールによれば、上記拘束バンドは、セルユニットの側面に位置し、第１エンドプレートの外部端子面に連結される。これにより、第１エンドプレートの外部端子面は、拘束バンドにより、高い強度で保持される。したがって、第１エンドプレートに外部端子を締結や溶接などで接続する際、第１エンドプレートの外部端子面が変形することがなく、第１エンドプレートの外部端子面と外部端子との位置ずれを防止しやすくする。
【０００９】
また、一実施形態のバッテリモジュールでは、
複数の上記拘束バンドの上記第１エンドプレートへの連結部分は、上記第１エンドプレートの隅部に位置している。
【００１０】
この実施形態のバッテリモジュールによれば、複数の上記拘束バンドの上記第１エンドプレートへの連結部分は、上記第１エンドプレートの隅部に位置している。これにより、第１エンドプレートのねじれ剛性を大きくでき、第１エンドプレートの外部端子面と外部端子との位置ずれを一層防止しやすくする。
【００１１】
また、一実施形態のバッテリモジュールでは、上記拘束バンドの上記第１エンドプレートへの連結部分は、上記第１方向からみて、上記第１エンドプレートの辺の中央に位置している。
【００１２】
この実施形態のバッテリモジュールによれば、上記拘束バンドは、上記第１エンドプレートの辺の中央に連結されるので、第１、第２エンドプレートおよびセルユニットの中央の膨らみを防止できる。
【００１３】
また、一実施形態のバッテリモジュールでは、
上記セルユニットの複数の上記側面は、各バッテリセルの端子が位置する面であるセル端子面を含み、
複数の上記拘束バンドは、上記セルユニットの上記セル端子面でない全ての上記側面に位置している。
【００１４】
この実施形態のバッテリモジュールによれば、上記複数の拘束バンドは、上記セルユニットの上記セル端子面でない全ての上記側面に位置している。これにより、第１エンドプレートおよびセルユニットを拘束バンドにより強固に保持でき、第１エンドプレートの外部端子面の剛性を大きくできる。したがって、第１エンドプレートの外部端子面と外部端子との位置ずれを一層防止しやすくする。
【００１５】
また、一実施形態のバッテリモジュールでは、
上記セルユニットの上記第１方向の他方側に位置する第２エンドプレートを備え、
上記セルユニットの上記セル端子面には、各バッテリセルの安全弁を有し、
上記安全弁を覆う排気管は、上記セルユニットの上記セル端子面に位置し、上記第１エンドプレートと上記第２エンドプレートに連結される。
【００１６】
この実施形態のバッテリモジュールによれば、上記排気管は、上記セルユニットの上記セル端子面に位置し、上記第１エンドプレートと上記第２エンドプレートに連結される。これにより、排気管は、第１エンドプレート、第２エンドプレートおよびセルユニットを拘束する。したがって、例えば、セルユニットの周囲の全側面を拘束することができ、第１エンドプレート、第２エンドプレートおよびセルユニットの剛性を大きくできる。
【００１７】
また、一実施形態のバッテリモジュールでは、
上記セルユニットは、隣接する上記バッテリセルの間にスペーサを有し、
上記セルユニットの上記セル端子面には、各バッテリセルの安全弁を有し、
上記安全弁を覆う排気管は、上記セルユニットの上記セル端子面に位置し、上記スペーサに連結される。
【００１８】
この実施形態のバッテリモジュールによれば、上記排気管は、上記セルユニットの上記セル端子面に位置し、上記スペーサに連結される。これにより、排気管は、セルユニットを拘束する。したがって、例えば、セルユニットの周囲の全側面を拘束することができ、セルユニットの剛性を大きくできる。
【００１９】
また、一実施形態のバッテリモジュールでは、
上記セルユニットおよび上記第１エンドプレートを収容するケースを備え、
上記ケースは、ガイド部を有し、
上記第１エンドプレートは、上記ガイド部にスライド自在にガイドされる被ガイド部を有する。
【００２０】
この実施形態のバッテリモジュールによれば、上記ケースは、ガイド部を有し、上記第１エンドプレートは、被ガイド部を有するので、セルユニットのケースへの出し入れが容易となる。また、デッドスペースが少ない状態でセルユニットをケースに保持できて（つまり、セルユニットの動き代が少なくて）、セルユニットを安定した状態でケースに収容できる。
【００２１】
また、一実施形態のバッテリモジュールでは、
上記被ガイド部は、上記拘束バンドが嵌め込まれるバンド溝であり、
上記バンド溝には、上記ケースの上記ガイド部が、スライド自在に嵌め込まれる。
【００２２】
この実施形態のバッテリモジュールによれば、上記バンド溝には、上記ケースの上記ガイド部が、スライド自在に嵌め込まれる。これにより、拘束バンドを嵌め込むバンド溝を、ケースへの収容のガイド溝に兼用できる。
【００２３】
また、一実施形態のバッテリモジュールでは、各上記拘束バンド同士を固定する固定バーを備える。
【００２４】
この実施形態のバッテリモジュールによれば、各上記拘束バンド同士は、固定バーにより、固定されるので、第１エンドプレートのねじれに対しての強度が増す。
【発明の効果】
【００２５】
この発明のバッテリモジュールによれば、上記拘束バンドは、セルユニットの側面に位置し、第１エンドプレートの外部端子面に連結されるので、第１エンドプレートの外部端子面と外部端子との位置ずれを防止できる。
【図面の簡単な説明】
【００２６】
【図１】本発明の第１実施形態のバッテリモジュールを示す斜視図である。
【図２】第１、第２エンドプレートおよびセルユニットの組立斜視図である。
【図３】第１、第２エンドプレートおよびセルユニットの分解斜視図である。
【図４】第１エンドプレートおよびセルユニットの正面図である。
【図５】第１エンドプレート、セルユニットおよびケースの正面図である。
【図６Ａ】本発明の第２実施形態のバッテリモジュールを示す斜視図である。
【図６Ｂ】他のバッテリモジュールを示す斜視図である。
【発明を実施するための形態】
【００２７】
以下、この発明を図示の実施の形態により詳細に説明する。
【００２８】
（第１の実施形態）
図１は、この発明の第１実施形態のバッテリモジュールを示す斜視図である。図１に示すように、このバッテリモジュールは、ケース１と、このケース１内に収容されるセルユニット２とを備える。
【００２９】
上記ケース１は、開口部を有する本体１０と、この開口部を閉じるように本体１０に取り付けられる蓋体１１とを有する。ケース１の外部には、正極外部端子５と負極外部端子６とが配置されている。正極外部端子５と負極外部端子６は、蓋体１１を貫通して、セルユニット２に電気的に接続される。
【００３０】
図２と図３に示すように、上記セルユニット２は、第１方向（矢印Ａ方向）に配列された８つのバッテリセル２０を有する。隣接するバッテリセル２０，２０の間には、スペーサ２６が配置されている。
【００３１】
上記バッテリセル２０は、例えば、非水電解質二次電池である。バッテリセル２０は、密閉容器２４と、この密閉容器２４内に収容されている発電要素とを有する。発電要素は、正極板と、負極板と、正極板と負極板との間に介在されたセパレータとを有する。密閉容器２４の蓋体には、正極端子２１と負極端子２２とが外部に露出するように設けられている。正極端子２１と正極板、および、負極端子２２と負極板は、それぞれ、密閉容器２４内に配置された集電体２７（図４参照）により、電気的に接続される。
【００３２】
上記密閉容器２４の蓋体には、正極端子２１と負極端子２２との間に、安全弁２３が設けられている。安全弁２３は、密閉容器２４内で発生する気体の圧力が所定値以上になったときに、この気体を密閉容器２４外へ放出する。各バッテリセル２０の安全弁２３は、第１方向に延在する排気管８によって、覆われている。
【００３３】
第１から第８のバッテリセル２０は、第１方向の一方側（図中の前方側）から他方側（図中の後方側）へ順に、配列されている。第１と第２のバッテリセル２０は、それぞれの正極端子２１が図中左側に揃うように、配置され、第３と第４のバッテリセル２０は、それぞれの正極端子２１が図中右側に揃うように、配置され、第５と第６のバッテリセル２０は、それぞれの正極端子２１が図中左側に揃うように、配置され、第７と第８のバッテリセル２０は、それぞれの正極端子２１が図中右側に揃うように、配置されている。
【００３４】
第１と第２のバッテリセル２０と、第３と第４のバッテリセル２０と、第５と第６のバッテリセル２０と、第７と第８のバッテリセル２０とは、バスバー２５を介して、電気的に直列に接続されている。そして、直列に接続された複数のバッテリセル２０の正極側は、バスバーを介して、正極外部端子５に電気的に接続される一方、この複数のバッテリセル２０の負極側は、バスバーを介して、負極外部端子６に電気的に接続される。
【００３５】
上記セルユニット２は、周囲に、４つの側面を有する。この４つの側面は、セル端子面２ａ、右側面２ｂ、左側面２ｃおよび底面２ｄである。セル端子面２ａと底面２ｄとは、対向し、右側面２ｂと左側面２ｃとは、対向する。セル端子面２ａは、各バッテリセル２０の端子２１，２２が位置する面である。
【００３６】
上記セルユニット２の第１方向の一方側には、第１エンドプレート３１が位置する。上記セルユニット２の第１方向の他方側には、第２エンドプレート３２が位置する。セルユニット２は、第１、第２エンドプレート３１，３２により、挟持されている。
【００３７】
上記第１エンドプレート３１は、負極外部端子６が接続される外部端子面３１ａを有する。外部端子面３１ａは、第１方向の一方側を向く。第１エンドプレート３１は、第１方向からみて、四角形である。上記第２エンドプレート３２は、第１エンドプレート３１と同様の形状である。
【００３８】
上記第１、上記第２エンドプレート３１，３２および上記セルユニット２は、４つの拘束バンド７により、一体に拘束されている。拘束バンド７は、第１方向に沿って延在し、第１エンドプレート３１と第２エンドプレート３２に連結されている。
【００３９】
上記全ての拘束バンド７は、セルユニット２のセル端子面２ａでない全ての側面２ｂ，２ｃ，２ｄに位置し、第１エンドプレート３１の外部端子面３１ａに連結される。つまり、右側面２ｂと左側面２ｃには、それぞれ、１つの拘束バンド７が位置し、底面２ｄには、２つの拘束バンド７が位置する。セル端子面２ａには、排気管８が位置し、排気管８は、第１エンドプレート３１と第２エンドプレート３２に連結される。
【００４０】
上記拘束バンド７は、第１方向に延在する本体部７ａと、この本体部７ａの両端に接続される折曲部７ｂとを有する。折曲部７ｂは、本体部７ａに直交する。本体部７ａは、セルユニット２の側面２ｂ，２ｃ，２ｄに位置する。一方の折曲部７ｂは、第１エンドプレート３１の外部端子面３１ａに位置する。他方の折曲部７ｂは、第２エンドプレート３２の第１方向の他方側を向く端面３２ａに位置する。
【００４１】
図４に示すように、上記拘束バンド７の一方の折曲部７ｂは、第１エンドプレート３１の外部端子面３１ａに連結される。上記折曲部７ｂは、例えばブラインドリベット９により、連結される。ブラインドリベット９を用いることで、ブラインドリベット９は外方に突出しない。このため、リベット９の省スペース化を図ることができ、リベット９に外力が加わりにくくなる。
【００４２】
４つの拘束バンド７の折曲部７ｂは、第１方向からみて、第１エンドプレート３１の隅部に位置している。右側面２ｂと左側面２ｃに位置する拘束バンド７の折曲部７ｂは、セル端子面２ａ側（図中上側）の隅部に位置する。底面２ｄに位置する拘束バンド７の折曲部７ｂは、セル端子面２ａ側（図中下側）の隅部に位置する。
【００４３】
ここで、「隅部に位置する」とは、上側の２つの折曲部７ｂについては、第１方向からみて、（図４の仮想線に示す）左右の集電体２７に重なる位置をいう。これにより、重量バランスを保つことができるため、振動に対する信頼性が向上し、位置ずれの課題に対して効果的である。つまり、重い発電要素を支持する集電体２７の位置を、拘束バンド７が保持しているので、効果的である。
【００４４】
一方、下側の２つの折曲部７ｂについては、上側の２つの折曲部７ｂとの相対的な位置をいい、上下の拘束バンド７で第１エンドプレート３１の剛性を保持できるような位置であり、また、上下の拘束バンド７に共通の部品を用いることができるような位置である。下側の２つの折曲部７ｂは、セル端子面２ａ側（図４では上側）からみて、（図４の仮想線に示す）左右の集電体２７に重なる。
【００４５】
なお、上記拘束バンド７の他方の折曲部７ｂは、第２エンドプレート３２の端面３２ａに連結される。他方の折曲部７ｂの第２エンドプレート３２に対する位置は、上記一方の折曲部７ｂの第１エンドプレート３１に対する位置と同様である。
【００４６】
図５に示すように、上記第１エンドプレート３１は、拘束バンド７が嵌め込まれるバンド溝３１ｂを有する。このバンド溝３１ｂは、セルユニット２の底面２ｄ側の左右の隅に設けられている。
【００４７】
上記ケース１の本体１０の内面には、ガイド部１０ａが設けられている。このガイド部１０ａは、セルユニット２の底面２ｄに対向する本体１０の内面に設けられている。ガイド部１０ａは、セルユニット２のケース１への挿入方向に延在している。
【００４８】
そして、上記バンド溝３１ｂは、第１、第２エンドプレート３１，３２およびセルユニット２をケース１に収容する際、ガイド部１０ａにスライド自在に嵌め込まれる。
【００４９】
上記構成のバッテリモジュールによれば、上記拘束バンド７は、セルユニット２の側面２ｂ，２ｃ，２ｄに位置し、第１エンドプレート３１の外部端子面３１ａに連結される。これにより、第１エンドプレート３１の外部端子面３１ａは、拘束バンド７により、高い強度で保持される。したがって、第１エンドプレート３１に負極外部端子６を締結や溶接などで接続する際、第１エンドプレート３１の外部端子面３１ａが変形することがなく、第１エンドプレート３１の外部端子面３１ａと負極外部端子６との位置ずれを防止しやすくする。
【００５０】
また、上記複数の拘束バンド７の上記第１エンドプレート３１への連結部分（折曲部７ｂ）は、上記第１エンドプレート３１の隅部に位置している。これにより、第１エンドプレート３１のねじれ剛性を大きくでき、第１エンドプレート３１の外部端子面３１ａと負極外部端子６との位置ずれを一層防止しやすくする。また、折曲部７ｂの長さを短くできて、折曲部７ｂの曲げ剛性を大きくできる。
【００５１】
また、上記複数の拘束バンド７は、上記セルユニット２の上記セル端子面２ａでない全ての上記側面２ｂ，２ｃ，２ｄに位置している。これにより、第１エンドプレート３１、第２エンドプレート３２およびセルユニット２を拘束バンド７により強固に保持でき、第１エンドプレート３１の外部端子面３１ａの剛性を大きくできる。したがって、第１エンドプレート３１の外部端子面３１ａと負極外部端子６との位置ずれを一層防止しやすくする。
【００５２】
また、上記排気管８は、上記セルユニット２の上記セル端子面２ａに位置し、上記第１エンドプレート３１と上記第２エンドプレート３２に連結される。これにより、排気管８は、第１エンドプレート３１、第２エンドプレート３２およびセルユニット２を拘束する。したがって、例えば、セルユニット２の周囲の全側面２ａ，２ｂ，２ｃ，２ｄを拘束することができ、第１エンドプレート３１、第２エンドプレート３２およびセルユニット２の剛性を大きくできる。
【００５３】
また、上記バンド溝３１ｂは、拘束バンド７が嵌め込まれると共に、ケース１のガイド部１０ａにスライド自在に嵌め込まれる。これにより、拘束バンド７を嵌め込むバンド溝３１ｂを、ケース１への収容のガイド溝に兼用できる。また、セルユニット２のケース１への出し入れが容易となる。また、デッドスペースが少ない状態でセルユニット２をケース１に保持できて（つまり、セルユニット２の動き代が少なくて）、セルユニット２を安定した状態でケース１に収容できる。
【００５４】
なお、図４の仮想線に示すように、別の拘束バンド７を設け、この拘束バンド７の第１エンドプレート３１への連結部分（折曲部７ｂ）を、第１方向からみて、第１エンドプレート３１の下辺（セルユニット２の底面２ｄ側）の中央に位置するようにしてもよい。これにより、拘束バンド７は、第１エンドプレート３１の下辺の中央に連結されるので、第１、第２エンドプレート３１，３２およびセルユニット２の中央の膨らみを防止できる。なお、拘束バンド７により、第１エンドプレート３１の左右辺（セルユニット２の左右側面２ｂ，２ｃ側）の中央を、連結するようにしてもよい。また、第１エンドプレート３１の隅部に代えて、第１エンドプレート３１の辺の中央を連結するようにしてもよい。
【００５５】
なお、上記排気管８を、第１、第２エンドプレート３１，３２に代えて、少なくとも一つのスペーサ２６に連結するようにしてもよい。これにより、排気管８は、セルユニット２を拘束して、例えば、セルユニット２の全側面２ａ，２ｂ，２ｃ，２ｄを拘束することができ、セルユニット２の剛性を大きくでき、特に連結させたスペーサ２６の前後のバッテリセル２０の耐振動性も向上する。また、第１、第２エンドプレート３１，３２と併せてスペーサ２６も連結させると、剛性だけでなく耐振動性も向上できる。
【００５６】
なお、上記ケース１に凸状のガイド部１０ａを設け、上記第１エンドプレート３１に凹状のバンド溝３１ｂを設けたが、ケースに凹状のガイド部を設け、第１エンドプレートに凸状の被ガイド部を設けて、被ガイド部をガイド部にスライド自在にガイドされるようにしてもよい。
【００５７】
（第２の実施形態）
図６Ａは、この発明の第２実施形態のバッテリモジュールを示す斜視図である。この第２の実施形態は、上記第１の実施形態とは、固定バーの構成のみが相違する。この相違する構成のみを以下に説明する。なお、この第２の実施形態において、上記第１の実施形態と同一の符号は、上記第１の実施形態と同じ構成であるため、その説明を省略する。
【００５８】
図６Ａに示すように、この第２実施形態では、各拘束バンド７同士は、固定バー４により、固定されている。具体的に述べると、左側面２ｃに位置する拘束バンド７の本体部７ａと、底面２ｄに位置する左側の拘束バンド７の本体部７ａとは、左側面２ｃおよび底面２ｄに沿って延在する固定バー４により、固定される。右側面２ｂに位置する拘束バンド７の本体部７ａと、底面２ｄに位置する右側の拘束バンド７の本体部７ａとは、右側面２ｂおよび底面２ｄに沿って延在する固定バー４により、固定される。
【００５９】
また、図６Ｂに示すように、左側面２ｃに位置する拘束バンド７の折曲部７ｂと、右側面２ｂに位置する拘束バンド７の折曲部７ｂとを、第１エンドプレート３１に沿って延在する固定バー４により、固定し、底面２ｄに位置する左側の折曲部７ｂと、底面２ｄに位置する右側の拘束バンド７の折曲部７ｂとを、第１エンドプレート３１に沿って延在する固定バー４により、固定するようにしてもよい。
【００６０】
したがって、各上記拘束バンド７同士は、固定バー４により、固定されるので、第１エンドプレート３１のねじれに対しての強度が増す。なお、固定バー４の数量の増減は、自由であり、固定バー４の固定方法は、自由である。
【００６１】
なお、この発明は上述の実施形態に限定されない。例えば、バッテリセルの数量や拘束バンドの数量の増減は、自由である。正極外部端子と負極外部端子との位置が逆の位置であってもよい。
【００６２】
上記実施形態では、拘束バンドを、セルユニットのセル端子面でない全ての側面に配置していたが、セルユニットのセル端子面でない少なくとも一つの側面に配置するようにしてもよい。
【００６３】
上記実施形態では、拘束バンドの折曲部を、第１エンドプレートの４つの隅部に配置したが、第１エンドプレートの少なくとも１つの隅部に配置するようにしてもよい。
【符号の説明】
【００６４】
１  ケース
２  セルユニット
２ａ  セル端子面
２ｂ  右側面
２ｃ  左側面
２ｄ  底面
４  固定バー
５  正極外部端子
６  負極外部端子
７  拘束バンド
７ｂ  折曲部（連結部分）
８  排気管
１０  本体
１０ａ  ガイド部
１１  蓋体
２０  バッテリセル
２１  正極端子
２２  負極端子
２３  安全弁
２７  集電体
３１  第１エンドプレート
３１ａ  外部端子面
３１ｂ  バンド溝（被ガイド部）
３２  第２エンドプレート
【図１】
2014203746.tif 000003
【図２】
2014203746.tif 000004
【図３】
2014203746.tif 000005
【図４】
2014203746.tif 000006
【図５】
2014203746.tif 000007
【図６Ａ】
2014203746.tif 000008
【図６Ｂ】
2014203746.tif 000009